(57)【要約】【課題】複数種類の狭トラックピッチフォーマットにおける下位記録再生互換が可能なテープフォーマットと回転ヘッドドラム装置を提供する。【解決手段】第１のテープフォーマットから第ｎ（ｎ≧２）のテープフォーマットへと記録密度が上がるテープフォーマット群のトラックピッチの逆数比が正の整数（Ａ１、Ａ２、…、Ａｎ）となるように設定するとともに、Ｎを偶数として、Ｎ個の記録ヘッド４ａ、４ｂ、４ｃ、４ｄと２Ｎ個の再生ヘッド５ａ、５ｂ、５ｃ、５ｄ、５ｅ、５ｆ、５ｇ、５ｈをそれぞれ回転ドラム上で均等に配置し、記録ヘッドに対応するアジマスの異なる１組の再生ヘッド５ａおよび５ｂ、５ｃおよび５ｄ、５ｅおよび５ｆ、５ｇおよび５ｈを、記録ヘッドに対してＡｎ本後行の位置に配置する。【選択図】　　　図１
2004005857.tif 000002
【特許請求の範囲】
【請求項１】
Ｎを偶数として、２種類の異なるアジマス角を有するＮ個の記録ヘッドと２種類の異なるアジマス角を有する２Ｎ個の再生ヘッドとを備えた回転ドラムを用い、
前記Ｎ個の記録ヘッドを周方向に沿って均等間隔となるように配置し、各記録ヘッド間にアジマス角の異なる一対の前記再生ヘッドを設けるとともに、同一アジマス角を有する再生ヘッドは回転ドラム上で周方向に沿って均等間隔となるように配置し、
前記回転ドラムを備えた回転ヘッドに磁気テープを螺旋状に巻きつけ、ある速度で走行させることでヘリカル記録再生を行うことによりテープフォーマットを生成し、このテープフォーマットは、前記回転ドラムの回転数、および、または、前記磁気テープの速度を変えることで、トラックピッチを順次狭くして高密度化を図るｎ種類（ｎ≧２）のテープフォーマットであって、第１のテープフォーマットのトラックピッチをＴ１、第ｎのテープフォーマットのトラックピッチをＴｎとした時に、全テープフォーマットのトラックピッチの逆数比である１／Ｔ１：１／Ｔ２：…：１／Ｔｎが、Ａ１：Ａ２：…：Ａｎ（但し、Ａ１、Ａ２、…、Ａｎはすべて正の整数）で表されるものであるようにし、
第ｎのテープフォーマットを記録する時に、テープ上における前記記録ヘッドと前記再生ヘッドとの位置関係を、前記記録ヘッド間に配置されたアジマス角の異なる一対の前記再生ヘッドが、先行する前記記録ヘッドよりもＡｎ本後行のトラック位置を走査するような位置関係となるようにすることを特徴とするテープフォーマット方法。
【請求項２】
Ｎを偶数として、回転ドラムに上に、２種類の異なるアジマス角を有するＮ個の記録ヘッドと２種類の異なるアジマス角を有する２Ｎ個の再生ヘッドとを設け、
前記Ｎ個の記録ヘッドを周方向に沿って均等間隔となるように配置し、各記録ヘッド間にアジマス角の異なる一対の前記再生ヘッドを設けるとともに、同一アジマス角を有する再生ヘッドは回転ドラム上で周方向に沿って均等間隔となるように配置し、
前記回転ドラムを備えた回転ヘッドに磁気テープを螺旋状に巻きつけてヘリカル記録再生を行うことにより生成されるテープフォーマットを、トラックピッチを順次狭くして高密度化を図るｎ種類（ｎ≧２）のテープフォーマットであって、第１のテープフォーマットのトラックピッチをＴ１、第ｎのテープフォーマットのトラックピッチをＴｎとした時に、全テープフォーマットのトラックピッチの逆数比である１／Ｔ１：１／Ｔ２：…：１／Ｔｎが、Ａ１：Ａ２：…：Ａｎ（但し、Ａ１、Ａ２、…、Ａｎはすべて正の整数）で表されるものであるように構成し、
前記記録ヘッドと前記再生ヘッドとの位置関係を、第ｎのテープフォーマットを記録する時に、前記記録ヘッド間に配置されたアジマス角の異なる一対の前記再生ヘッドが、先行する前記記録ヘッドよりもＡｎ本後行のトラック位置を走査するような位置関係としたことを特徴とする回転ヘッドドラム装置。
【請求項３】
記録ヘッド間に配置するアジマス角の異なる一対の再生ヘッドを、前記記録ヘッド間の中央付近において互いに近接状態で配置したことを特徴とする請求項２記載の回転ヘッドドラム装置。
【発明の詳細な説明】
【０００１】
【発明の属する技術分野】
本発明はテープフォーマット方法およびそのために用いられる回転ヘッドドラム装置に関し、特に、磁気記録再生装置においてテープストリーマと称されるデータ記録再生装置に用いられるテープフォーマット方法およびそのために用いられる回転ヘッドドラム装置に関するものである。
【０００２】
【従来の技術】
従来から、データ記録再生装置では、昨今のデータ量の増大に伴い、高密度記録対応が可能なテープフォーマットが新たに開発されている。新たなテープフォーマットを記録再生できるテープドライブには、データ管理の運用上、下位テープフォーマットの記録再生機能が要求されており、下位テープフォーマット専用テープにも記録再生できることが必要である。
【０００３】
テープドライブには、テープ上に記録トラックをテープ走査方向に記録する方法と、テープ上に記録トラックをヘリカル走査方向に記録する方法とがある。テープ走査方向に記録する方式では、下位テープフォーマット専用の記録再生固定ヘッドを並べれば、下位テープフォーマットの互換機能を有することができる。しかし、ヘリカル走査方式の場合は、複数のテープフォーマットの記録再生を実現するためにはトラックピッチ設定にあたってはいくつかの制約を受ける。
【０００４】
上述したヘリカル走査方式における制約の内容について、あるテープフォーマットを参考に説明する。
表１に従来のテープフォーマットのマイグレーションを示すトラックピッチをあらわし、図８に表１におけるテープフォーマット（ＩＶ）の記録再生が可能なテープドライブのヘッド配置を示す。
【０００５】
【表１】
2004005857.tif 000003
【０００６】
図８のヘッド配置は、回転ドラム１において記録ヘッド４ａ、４ｂが１８０度対向に２個設けられ、再生ヘッド５ａ、５ｂは、記録ヘッド４ａ、４ｂに対して９０度後行の関係となる位置に取付けられている。また再生ヘッド５ａ、５ｂは、記録ヘッド４ａ、４ｂによりトラックピッチが確定されたすぐあとに、記録トラックを走査して、正確に記録されたかどうかを確認する同時記録再生機能であるリードアフターライトを行う。表１を見てわかるように、トラックピッチの逆数比を求めると、この逆数比を構成する数値には偶数、奇数が混在している。図８に示すように再生ヘッド５ａ、５ｂは２個しかないので、下位テープフォーマットを行うためには、つまり、互換のための条件としては、逆数比の倍の値が必要となる。この逆数比の倍の値は、リードアフターライトする再生ヘッドが、先行する記録ヘッドに対して遅れて再生する時の、記録トラックの本数を意味する。
【０００７】
表１に対応した記録ヘッドと再生ヘッドとの位置関係を図９（表１のＩＶ）、図１０（表１のＩＩＩ）、図１１（表１のＩＩ）、図１２（表１のＩ）に示す。それぞれ、テープフォーマットＩＶを記録再生できるテープドライブでテープフォーマットＩＩＩ、ＩＩ、Ｉを幅広の記録ヘッドでオーバーライトしながら記録し、幅広の再生ヘッドが記録ヘッドに対応する位置でリードアフターライトを行っている様子を表している。このように、ｎを任意の数として、第ｎのテープフォーマットを記録できるテープドライブの記録ヘッドと再生ヘッドの位置関係を最適にすることで、下位テープフォーマットの記録再生互換を行うようにしている。
【０００８】
【発明が解決しようとする課題】
上述したように、トラックピッチが５μｍ〜１０数μｍと比較的大きく、複数のテープフォーマットのトラックピッチの逆数比が単純な偶数倍になっている場合には、上位テープフォーマット用テープドライブで下位テープフォーマットの記録互換を行うことができる。しかし、更にトラックピッチが狭くなった場合、磁気ヘッドや磁気テープの電磁変換特性に要求される性能は高くなり、記録トラックの有効再生幅も狭くなるために、上述したようなトラックピッチの逆数比を単純な偶数倍に設定することが厳しくなってきている。
【０００９】
また、ビデオテープレコーダやテープストレージにおいては、機器どうしの間で再生互換が行われるのが一般的であるが、昨今のように高密度記録が進んでくると、テープ上に記録されるトラックピッチは狭くなり、再生ヘッドが記録トラックを正確にトレースすることが困難になってくる。すなわち、通常は、標準テープを走行させてポストの高さ調整を行うことで走行状態を調整するが、ドラムに搭載されているヘッドの前面形状にバラツキがあるので、テープとの接触状態を最適にすると、調整するポストの高さが微妙に異なってしまう。つまり、ポストのフランジやドラムのリードからテープに加わる反力が違ったものとなるため、テープ上に記録されるトラックパターンがμｍオーダーで曲がり、リニアリティすなわちいわゆるトラック直進性は、２〜３μｍ程度のバラツキを有する。また、テープの幅も±１０μｍ程度のバラツキを持っているため、同じ機器で何種類かのテープを走行させると、ポストのフランジやドラムのリードからの反力が異なり、同じトラック直線性にはならない。
【００１０】
つまり、テープフォーマットのトラックピッチが狭くなると、機器間やテープ間等の互換再生時には、各種誤差原因、すなわち例えばトラック直進性の誤差やヘッド高さの誤差やトラック幅誤差等によって、再生ヘッドが記録トラックを正確に走査することが困難になり、再生しなければならないトラック幅が極端に減少することになる。
【００１１】
そこで本発明は、上述したような実情に鑑みてなされたものであり、トラックピッチが狭くなっても複数フォーマットの下位記録再生互換とリードアフターライト機能を簡単な方法で実現することのできるテープフォーマット方法とそのために用いられる回転ヘッドドラム装置とを提供することを目的とするものである。
【００１２】
【課題を解決するための手段】
上述した課題を解決するために本発明のテープフォーマット方法は、Ｎを偶数として、２種類の異なるアジマス角を有するＮ個の記録ヘッドと２種類の異なるアジマス角を有する２Ｎ個の再生ヘッドとを備えた回転ドラムを用い、前記Ｎ個の記録ヘッドを周方向に沿って均等間隔となるように配置し、各記録ヘッド間にアジマス角の異なる一対の前記再生ヘッドを設けるとともに、同一アジマス角を有する再生ヘッドは回転ドラム上で周方向に沿って均等間隔となるように配置し、前記回転ドラムを備えた回転ヘッドに磁気テープを螺旋状に巻きつけ、ある速度で走行させることでヘリカル記録再生を行うことによりテープフォーマットを生成し、このテープフォーマットは、前記回転ドラムの回転数、および、または、前記磁気テープの速度を変えることで、トラックピッチを順次狭くして高密度化を図るｎ種類（ｎ≧２）のテープフォーマットであって、第１のテープフォーマットのトラックピッチをＴ１、第ｎのテープフォーマットのトラックピッチをＴｎとした時に、全テープフォーマットのトラックピッチの逆数比である１／Ｔ１：１／Ｔ２：…：１／Ｔｎが、Ａ１：Ａ２：…：Ａｎ（但し、Ａ１、Ａ２、…、Ａｎはすべて正の整数）で表されるものであるようにし、第ｎのテープフォーマットを記録する時に、テープ上における前記記録ヘッドと前記再生ヘッドとの位置関係を、前記記録ヘッド間に配置されたアジマス角の異なる一対の前記再生ヘッドが、先行する前記記録ヘッドよりもＡｎ本後行のトラック位置を走査するような位置関係となるようにするものである。
【００１３】
また、本発明の回転ヘッドドラム装置は、Ｎを偶数として、回転ドラムに上に、２種類の異なるアジマス角を有するＮ個の記録ヘッドと２種類の異なるアジマス角を有する２Ｎ個の再生ヘッドとを設け、前記Ｎ個の記録ヘッドを周方向に沿って均等間隔となるように配置し、各記録ヘッド間にアジマス角の異なる一対の前記再生ヘッドを設けるとともに、同一アジマス角を有する再生ヘッドは回転ドラム上で周方向に沿って均等間隔となるように配置し、前記回転ドラムを備えた回転ヘッドに磁気テープを螺旋状に巻きつけてヘリカル記録再生を行うことにより生成されるテープフォーマットを、トラックピッチを順次狭くして高密度化を図るｎ種類（ｎ≧２）のテープフォーマットであって、第１のテープフォーマットのトラックピッチをＴ１、第ｎのテープフォーマットのトラックピッチをＴｎとした時に、全テープフォーマットのトラックピッチの逆数比である１／Ｔ１：１／Ｔ２：…：１／Ｔｎが、Ａ１：Ａ２：…：Ａｎ（但し、Ａ１、Ａ２、…、Ａｎはすべて正の整数）で表されるものであるように構成し、前記記録ヘッドと前記再生ヘッドとの位置関係を、第ｎのテープフォーマットを記録する時に、前記記録ヘッド間に配置されたアジマス角の異なる一対の前記再生ヘッドが、先行する前記記録ヘッドよりもＡｎ本後行のトラック位置を走査するような位置関係としたものである。
【００１４】
したがって本発明によると、Ｎを偶数として、Ｎ個の記録ヘッドを周方向に沿って均等間隔となるように配置し、各記録ヘッド間にアジマス角の異なる一対の再生ヘッドを２Ｎ個設けるとともに、同一アジマス角を有する再生ヘッドは回転ドラム上で周方向に沿って均等間隔となるように配置したため、すなわちテープパターン上で１トラックピッチずれたところに同じアジマス角の再生ヘッドがトレースするように配置したため、本来再生しなければならない再生ヘッドよりも進んだ位置にある他の再生ヘッドと遅れた位置にあるさらに他の再生ヘッドとが、本来再生しなければならない再生ヘッドに対して補完関係を有することになるので、本来再生しなければならない再生ヘッドがトレースミスをしても、他の再生ヘッドで補完することができ、ｎ種類のテープフォーマットにわたって、機器間やテープ間等の互換再生時の再生保証を行うことができる。
【００１５】
また本発明によると、全テープフォーマットのトラックピッチの逆数比が正の整数比で表されるものであるように構成し、記録ヘッドと再生ヘッドとの位置関係を、あるテープフォーマットを記録する時に、記録ヘッド間に配置されたアジマス角の異なる一対の再生ヘッドが、先行する記録ヘッドよりも上述の正の整数と同じ本数だけ後行のトラック位置を走査するような位置関係としたため、記録ヘッドがテープを走査して記録トラック幅が確定した時の、当該記録トラック幅の中央と、再生ヘッドが走査する中央とをほぼ合致させることができ、したがって、下位記録テープフォーマットの記録互換時に、どのテープフォーマットであっても記録時には記録ヘッドのアジマス角に応じた再生ヘッドが走査することになり、また、ｎ種のうちのどのテープフォーマットであっても、テープ上を記録ヘッドが走査することで記録トラックとしてトラック幅が確定したあとを、アジマス角の異なる一対の再生ヘッドが必ず走査することになるため、データストレージとして必須であるところの、正確に記録されたかどうかを確認する同時記録再生機能であるリードアフターライト機能を、確実にもたせることができる。
【００１６】
さらに本発明は、記録ヘッド間に配置するアジマス角の異なる一対の再生ヘッドを、前記記録ヘッド間の中央付近において互いに近接状態で配置したものである。
【００１７】
このような構成であると、記録ヘッドからの漏洩磁界が記録ヘッドと再生ヘッドとの距離の２乗に反比例して減少するという作用によって、リードアフターライト機能を容易にしかも確実に実現することができる。
【００１８】
【発明の実施の形態】
（第１の実施の形態）
以下に、本発明の第１の実施の形態について図面を参照して説明する。
【００１９】
図１は本発明にもとづくテープフォーマットを記録するための回転ヘッドドラム装置の外観図、図２は図１の回転ヘッドドラム装置のヘッドレイアウトである。
【００２０】
ここで、回転ドラム１には、異なるアジマス角を有する２種類の幅広の４個の記録ヘッド４ａ、４ｂ、４ｃ、４ｄが、周方向に９０度間隔で取り付けられている。記録ヘッド４ａと４ｃは同一アジマス角となっており、また記録ヘッド４ｂと４ｄは他の同一アジマス角となっている。さらに回転ドラム１には８個の再生ヘッド５ａ、５ｂ、５ｃ、５ｄ、５ｅ、５ｆ、５ｇ、５ｈが設けられており、そのうち、５ａと５ｂ、５ｃと５ｄ、５ｅと５ｆ、５ｇと５ｈを、それぞれ一対の再生ヘッドとして、各記録ヘッド４ａ、４ｂ、４ｃ、４ｄどうしの間に配置している。再生ヘッド５ａ、５ｃ、５ｅ、５ｇは同一アジマス角、再生ヘッド５ｂ、５ｄ、５ｆ、５ｈは他の同一アジマス角で、それぞれ周方向に９０度間隔の均等配置とされている。
【００２１】
回転ドラム１は矢印ａの方向に回転し、磁気テープ６は下ドラム２に形成されたリード３に沿って矢印ｂの方向に走行する。このように磁気ヘッドと磁気テープの相対的な動きによって磁気テープ６上にヘリカル記録が行われる。この時の記録パターンの様子を図３に示す。幅広の記録ヘッド４ａ、４ｂでもってオーバーライト記録をし、記録ヘッド４ａ、４ｂのトラック下端側（図３におけるヘッド走査軌跡の左側）でトラックピッチが形成される。記録ヘッド４ａ、４ｂ、４ｃ、４ｄは回転ドラム１上で周方向に均等配置されているため、回転ドラム１の回転数とテープ６の送り速度でもってトラックピッチが決定され、任意のトラックピッチを形成することが可能となる。
【００２２】
次に記録ヘッド４ａ、４ｂ、４ｃ、４ｄに対する再生ヘッド５ａ、５ｂ、５ｃ、５ｄ、５ｅ、５ｆ、５ｇ、５ｈの位置関係を説明する。
ここでは、表２に示すような３種類のテープフォーマットＡ、Ｂ、Ｃについて説明する。
【００２３】
【表２】
2004005857.tif 000004
【００２４】
表２に示すように、第１のテープフォーマットＡのトラックピッチを４．１５μｍ、第２のテープフォーマットＢのトラックピッチを２．３μｍ、第３のテープフォーマットＣのトラックピッチを１．７３μｍとし、ＡからＣに順次トラックピッチを狭くしてより高密度記録が行えるようなテープフォーマットとする。これら３つのテープフォーマット群では、トラックピッチの逆数比は５：９：１２となる。
【００２５】
ここで第３のテープフォーマットＣを記録再生するテープドライブの記録ヘッドと再生ヘッドとの位置関係について、図４を用いて説明する。図４において、幅広の記録ヘッドがオーバーライトしながら１．７３μｍのトラックピッチが形成される。記録ヘッドのすぐ後にあリ互いにアジマスの異なる１組の再生ヘッドは、記録ヘッドよりもトラックピッチ１２本分だけ後方に配置するように回転ヘッド１に取り付けられる。他の再生ヘッドも同様に取り付けられる。
【００２６】
すなわち、回転ドラム１上に一方のアジマス角を有する再生ヘッド５ａ、５ｃ、５ｅ、５ｇが９０度間隔で均等配置され、他方のアジマス角を有する再生ヘッド５ｂ、５ｄ、５ｆ、５ｈも同様に９０度間隔で均等配置されている。また、回転ドラム１の上におけるヘッド高さはそれぞれ同じ高さとなっており、異なるアジマス角の再生ヘッドの高さ差は、トラックピッチや２種類のヘッドの取り付け位置によっても異なるが、概ねトラックピッチの数分の１である。ドラム上で再生ヘッドをこのように配置することにより、図４に示すように、アジマス角の異なる一対の再生ヘッドがテープパターン上で同じ記録トラックを走査することになる。
【００２７】
このテープドライブで、表２における第１のテープフォーマットＡと第２のテープフォーマットＢを記録した場合の、記録ヘッドと再生ヘッドとの位置関係を、図５、図６に示す。これらの図より、データストレージで必須となっているリードアフターライトの位置に再生ヘッドが走査していることがわかる。
【００２８】
このように、第ｎのテープフォーマットを記録再生できるテープドライブにおいて、トラックピッチの逆数比Ａｎだけ再生ヘッドを後方に配置することで、全てのテープフォーマットの記録再生が可能となる。また、従来のようにトラックピッチの逆数比を偶数倍にする必要もないため、トラックピッチ選択の幅が広がる。
【００２９】
なお、上記においては表２のような３種類のテープフォーマット群としたが、テープフォーマット群は、これに限らず、色々な組合せを選択することができる。
【００３０】
（第２の実施の形態）
次に、本発明の第２の実施の形態の回転ヘッドドラム装置における回転ヘッドのヘッドレイアウトについて、図７を用いて説明する。図中１は回転ドラムを示し、この回転ドラム１には記録ヘッド４ａ、４ｂ、４ｃ、４ｄが周方向に沿って９０度の均等間隔で配置されている。記録ヘッド４ａと４ｃはアジマス角が等しく、また記録ヘッド４ｂと４ｄはアジマス角が等しい。そして、記録ヘッド４ａ、４ｃのアジマス角と、記録ヘッド４ｂ、４ｄのアジマス角とは、互いに異なる。
【００３１】
さらに、回転ドラム１の周方向に沿った各記録ヘッド４ａ、４ｂ、４ｃ、４ｄどうしのほぼ中央に、アジマスの異なる１組の再生ヘッド５ａおよび５ｂ、５ｃおよび５ｄ、５ｅおよび５ｆ、５ｇおよび５ｈが、互いに近接して配置されている。再生ヘッド５ａ、５ｃ、５ｅ、５ｇは、同一アジマスで、互いに回転ドラム１の周方向に９０度隔てた位置に設けられている。同様に再生ヘッド５ｂ、５ｄ、５ｆ、５ｈも、同一アジマスで、互いに回転ドラム１の周方向に９０度隔てた位置に設けられている。
【００３２】
このようにすることで、リードアフターライトを行う再生ヘッドは記録ヘッドからの距離が遠くなるので、より信頼性が向上する。尚、各記録ヘッドの間に配置する再生ヘッドはＶＴＲで言われるところのコンビヘッドでも構わないし、シングルヘッドを近接に配置したものでも構わない。
【００３３】
【発明の効果】
以上のように本発明によれば、第ｎのテープフォーマットにおいて記録ヘッドに対応するアジマスの異なる１組の再生ヘッドを記録ヘッドに対してＡｎ本後行のトラック位置に配置し、記録ヘッドと再生ヘッドを均等に配置したので、下位テープフォーマットの記録再生の互換を実現することができる。また、Ａｎを正の整数としたので、各種テープフォーマットの基本となるトラックピッチの選択の幅が広がる。また、更にはリードアフターライトにおける信頼性が増加する。
【図面の簡単な説明】
【図１】本発明の第１の実施の形態の回転ヘッドドラム装置の外観図
【図２】図１の回転ヘッドドラム装置上の記録ヘッドと再生ヘッドとのレイアウトを示す図
【図３】図１および図２の記録ヘッドにて形成される記録トラックを示す図
【図４】本発明にもとづく第１のテープフォーマットＣでの記録時における記録ヘッドと再生ヘッドとの位置関係を示す図
【図５】本発明にもとづく第２のテープフォーマットＢでの記録時における記録ヘッドと再生ヘッドとの位置関係を示す図
【図６】本発明にもとづく第３のテープフォーマットＡでの記録時における記録ヘッドと再生ヘッドとの位置関係を示す図
【図７】本発明の第２の実施の形態の回転ヘッドドラム装置上の記録ヘッドと再生ヘッドとのレイアウトを示す図
【図８】従来のテープフォーマットを記録再生する回転ドラム上の記録ヘッドと再生ヘッドのレイアウトを示す図
【図９】従来のテープフォーマットＩＶにおける記録ヘッドと再生ヘッドの位置関係を示す図
【図１０】従来のテープフォーマットＩＶを記録再生できるテープドライブによりテープフォーマットＩＩＩを記録した時の記録ヘッドと再生ヘッドの位置関係を示す図
【図１１】従来のテープフォーマットＩＶを記録再生できるテープドライブによりテープフォーマットＩＩを記録した時の記録ヘッドと再生ヘッドの位置関係を示す図
【図１２】従来のテープフォーマットＩＶを記録再生できるテープドライブによりテープフォーマットＩを記録した時の記録ヘッドと再生ヘッドの位置関係を示す図
【符号の説明】
１　　回転ドラム
４ａ、４ｂ、４ｃ、４ｄ　　記録ヘッド
５ａ、５ｂ、５ｃ、５ｄ、５ｅ、５ｆ、５ｇ、５ｈ　　再生ヘッド
６　　磁気テープ
【図１】
2004005857.tif 000005
【図２】
2004005857.tif 000006
【図３】
2004005857.tif 000007
【図４】
2004005857.tif 000008
【図５】
2004005857.tif 000009
【図６】
2004005857.tif 000010
【図７】
2004005857.tif 000011
【図８】
2004005857.tif 000012
【図９】
2004005857.tif 000013
【図１０】
2004005857.tif 000014
【図１１】
2004005857.tif 000015
【図１２】
2004005857.tif 000016